(57)【特許請求の範囲】
【請求項１】
一端が短絡された直線導波管に対して垂直導波管を設けることによりＨ面Ｔ分岐構造としたＴ分岐型ベンドであって、前記Ｅ面の長手中心軸上に設けられかつ両Ｈ面に接触するように設けられたインピーダンス整合素子ビスを含むことを特徴とするＴ分岐型ベンド。
【請求項２】
前記Ｅ面に設けられたリターンロス調整ビスを、更に含むことを特徴とする請求項１記載のＴ分岐型ベンド。
【請求項３】
前記直線導波管は、ケース内壁に導波路が切削加工され、カバーにより前記ケースを覆うことによって形成されており、前記カバーと平行な面を前記Ｅ面としたことを特徴とする請求項１または２記載のＴ分岐型ベンド。
【発明の詳細な説明】
【０００１】
【発明の属する技術分野】
本発明はＴ分岐型ベンドに関し、特に一端が短絡された直線導波管に対して垂直導波管を設けることによりＨ面Ｔ分岐構造としたＴ分岐型ベンドに関するものである。
【０００２】
【従来の技術】
従来のこの種のＴ分岐型ベンドについて、図５を用いて説明する。図５において、（ａ）は平面図、（ｂ）は側面図である。ケース１の内壁には、直線導波管４を構成する導波路が切削加工されており、このケース１をカバー２により覆うことにより、直線導波管４が形成される。この直線導波管４はその一端が開放となっており、他端は短絡端３となっている。
【０００３】
そして、直線導波管４の一方のＥ面で分割してＴ分岐型ベンドとなる様構成されている。すなわち、短絡端３の近傍のＥ面（ケース１の底面）において、直線導波管４に対して垂直に垂直導波管５を設け、Ｔ型の構造とすることにより、Ｈ面Ｔ分岐６を構成する様になっている。
【０００４】
また、カバー２（導波管４のＥ面となる）の長手中心軸上に整合素子棒７が挿入されており、両Ｈ面を接続するようになっている。この整合素子棒７の機能は次の如くである。Ｔ分岐は、その分岐点におけるインピーダンスが不整合になるために内部電界が乱れることから、分岐点の中央部を、インピーダンス整合用の素子棒７を挿入することにより盛り上げて、この電界の乱れを少なくするためのものである。
【０００５】
通常は、この整合素子棒７と短絡端３とによってほぼ大まかな必要とする特性が確保できるが、更に特性を改善するために、Ｈ面にリターンロス調整用のビス８を設けることにより、リターンロスを調整している。
【０００６】
【発明が解決しようとする課題】
図５に示した従来のＴ分岐型ベンドは、以下の様な問題点を有している。すなわち、整合素子棒７をケース１に固定する必要があるが、この固定方法として、半田付けや圧入等の方法が採用されている。この整合素子棒７は、電気的特性上、必要な位置においてケース１と共に一体構造とすることが困難であることから、上述した如く、半田付けや圧入等の工程をとらざるを得ず、よって、それだけ余分な組立て工程である二次工程が必要となるという問題がある。
【０００７】
また、整合素子棒７は固定的に取り付けられているために、装置などへの実装後における調整が不可能であるという欠点もある。更に、装置などにＴ分岐型ベンドを実装する際には、外部からの調整が容易な様に、装置の端の方に、リターンロス調整用の調整ビス８がくる様にする必要があり、よってその取付けには制約が生ずる。特に、調整ビス８はＨ面上に取付けられているので、保守員が作業する際に作業が容易となる様、調整ビス８の取付け面であるＨ面の配置位置を考慮して実装することが必要となる。その結果、装置実装上の制約があるという問題が生ずるのである。
【０００８】
本発明の目的は、整合素子をケースに固定する際に要する余分ないわゆる二次工程を排除することが可能なＴ分岐型ベンドを提供することである。
また、本発明の他の目的は、インピーダンス整合の調整を自在とし、また装置などへの実装時の制約をできるだけ少なくしたＴ分岐型ベンドを提供することである。
【０００９】
【課題を解決するための手段】
本発明によれば、一端が短絡された直線導波管に対して垂直導波管を設けることによりＨ面Ｔ分岐構造としたＴ分岐型ベンドであって、前記Ｅ面の長手中心軸上に設けられかつ両Ｈ面に接触するように設けられたインピーダンス整合用の整合素子ビスを含むことを特徴とするＴ分岐型ベンドが得られる。
【００１０】
更に、前記Ｅ面にリターンロス調整用の調整ビスを配置することを特徴としている。そして、前記直線導波管は、ケース内壁に導波路が切削加工され、カバーにより前記ケースを覆うことによって形成されており、前記カバーと平行な面をＥ面としたことを特徴としている。
【００１１】
本発明の作用を述べる。一端が短絡された直線導波管に対して垂直導波管を設けることによりＨ面Ｔ分岐構造としたＴ分岐型ベンドにおいて、インピーダンス整合素子棒に代えて、整合素子ビスとする。このように、整合素子をビスとすることにより、整合素子ビスはねじ止めするだけで良く、また整合素子棒を使用しないので、この整合素子棒をケース内に固定するための半田付けや圧入などの二次工程が不要となる。更には、ビス構造としたので、装置実装後などにもインピーダンス整合の調整が自在となる。更にはまた、リターンロス調整ビスをＥ面に設けることにより、調整ビス及び整合素子ビスが共にＥ面に存在することになるので、装置実装時の制約がより少なくなる。
【００１２】
【発明の実施の形態】
以下に図面を参照しつつ本発明の実施例を説明する。図１は本発明の一実施例の構造を示す図であり、（ａ）は平面図、（ｂ）は側面図である。なお、図１において、図５と同等部分は同一符号にて示している。
【００１３】
図１を参照すると、図５の従来例と同様に、ケース１の内壁に直線導波管４を構成する導波路を切削加工して形成し、その一端を開放とし、他端を短絡端３としている。そして、ケース１の上面にカバー２を設けることにより、直線導波管４を形成するのである。この直線導波管４に対して垂直に垂直導波管５を、ケース１の底面に設け、Ｈ面Ｔ分岐型のベンドを構成している。
【００１４】
一般に、Ｔ分岐型の導波管では、垂直方向の垂直導波管（図１の例では５）より入力された信号は、直線導波管（４）の両端へ等分割されて出力されることになるが、このＴ分岐型ベンドにおいては、直線導波管４の一端を短絡端３とすることにより、垂直導波管５の入力端より入力された信号は、直線導波管４の短絡端３とは反対側の出力端に導出されることにより、ベンドと同等な機能を有することになる。
【００１５】
そして、本発明では、分岐点におけるインピーダンスの整合を図るための整合素子として、図５に示した従来の整合素子棒７の代りに、整合素子ビス９を用いている。この整合素子ビス９はカバー２とネジにより累合しており、この整合素子ビス９をドライバ等により回動することで、分岐点へのカバー２（Ｅ面）からの挿入が自在となる。このビス９の先端部分の径を直線導波管４の導波路の幅とほぼ等しくしておき、両Ｈ面でこのビス先端部分が接触する様にすることができる。
【００１６】
従って、この整合素子ビス９はカバー２（Ｅ面）の長手中心軸上に設けられることになる。本発明における整合素子ビス９はＥ面から挿入されるようになってはいるが、両Ｈ面に接触しているので、図５の整合素子棒７と同様に、誘導性素子として働き、入出力間の整合に寄与することができる。また、ビス構造のために、調整が何時でも可能となる。
【００１７】
更に、本発明では、リターンロス調整用の調整ビス８を、整合素子ビス９が設けられているカバー２（Ｅ面）に取付ける構造となっている。こうすることにより、整合素子ビス９と同一面（Ｅ面）に、調整ビス８が存在することになって、装置等への実装時には、このＥ面が調整者から容易に手のとどく位置に配置する様配慮すれば良く、すなわちＥ面のみの取付け位置を考慮すれば良くなる。
【００１８】
図２は本発明の他の実施例を示す図であり、図１，５と同等部分は同一符号にて示している。本例においては調整ビス８をＥ面ではなく、従来と同様にＨ面に取付けたものであり、整合素子ビス９とすることによる二次工程の排除効果のみをねらった例である。
【００１９】
図３は本発明の別の実施例を示す図であり、図１，２，５と同等部分は同一符号にて示している。本例においては、調整ビス８をＥ面に取付け、整合素子としては、従来と同様にビスではなく整合素子棒７を用いたものであり、調整ビス８をＥ面に取付け、装置等への実装時の配置制約をより柔軟とする効果のみをねらった例である。
【００２０】
図５は図１や図３に示したＴ分岐型ベンドの機能実証データの一例である。すなわち、Ｅ面にリターンロス調整用ビス８を設けた場合の実証データであり、直線導波管４側からのリターンロス測定データを示している。調整ビス８は、このデータに関する限り、機能確認のために、１本としている。調整ビス８の位置は、整合素子の近傍であるものとする。
【００２１】
この図５のデータからも明らかな如く、調整用ビス８による調整によって、リターンロスの改善ができることが判る。なお、調整ビス８の具体的位置や本数は、周波数、帯域幅、その他の所望特性により、最適な選択を行うことが可能であることは勿論である。
【００２２】
【発明の効果】
以上述べた如く、本発明によれば、分岐点におけるインピーダンスの整合を図るための整合素子を、整合素子ビスとして、これを従来の整合素子棒と同様に対称軸上（Ｅ面の長手中心軸上）に、かつ両Ｈ面に接触する様に設けたので、従来必要であった整合素子棒を固定するための半田付けや圧入等の二次工程が不要となるという効果がある。
【００２３】
また、本発明によれば、リターンロス調整用ビスをＥ面側に設けたので、装置等への実装時における制約が少なくなるという効果もある。
【図面の簡単な説明】
【図１】本発明の一実施例を示す図である。
【図２】本発明の他の実施例を示す図である。
【図３】本発明の別の実施例を示す図である。
【図４】本発明の実施例の実証データ例を示す図である。
【図５】従来のＴ分岐型ベンドの例を示す図である。
【符号の説明】
１  ケース
２  カバー
３  短絡端
４  直線導波管
５  垂直導波管
６  Ｈ面Ｔ分岐
８  調整ビス
９  整合素子ビス
【図１】
0004236821.tif 000002
【図２】
0004236821.tif 000003
【図３】
0004236821.tif 000004
【図４】
0004236821.tif 000005
【図５】
0004236821.tif 000006